(57)【要約】【課題】バーナを点火するための点消火ボタンの押し操作を、機械的に阻止するチャイルドロックの数を可及的に低減して構造を簡素化する。【解決手段】制御部３３は、チャイルドロックスイッチ９０の操作によって、チャイルドロックモードが設定されている場合に、加熱／停止操作部である点消火ボタンによる点火操作に応答して、電源の供給が開始されたときには、バーナへ燃料ガスを供給するガス流路に設けられた開閉弁を閉止状態に保持して、バーナへの燃料ガスの供給を遮断し、バーナが点火しないようにしている。【選択図】図７
2018194234.tif 000002
【特許請求の範囲】
【請求項１】
被加熱物を加熱するバーナと、前記バーナによる加熱の開始および加熱の停止を指令するために操作される加熱／停止操作部と、前記バーナへ燃料ガスを供給するガス流路に設けられて、前記ガス流路を開閉して前記バーナへの燃料ガスの供給及び遮断を行う開閉弁と、前記開閉弁を制御すると共に、前記加熱／停止操作部の操作に基づいて、前記バーナの加熱の開始及び加熱の停止を制御する制御部とを備え、前記加熱／停止操作部による加熱開始指令の操作に応答して、前記制御部への電源の供給を開始するガス調理器であって、
前記制御部は、チャイルドロックモードが設定されている場合に、前記加熱／停止操作部による前記加熱開始指令の操作に応答して、前記電源の供給が開始されたときには、前記開閉弁を閉止状態に保持して前記バーナへの燃料ガスの供給を遮断する、
ことを特徴とするガス調理器。
【請求項２】
前記チャイルドロックモードを設定するために操作されるチャイルドロックモード設定操作部を備える、
請求項１に記載のガス調理器。
【請求項３】
前記制御部への電源の供給及び遮断を行うスイッチ手段と、
前記チャイルドロックモード設定操作部の操作による前記チャイルドロックモードの設定の有無が記憶される記憶部とを備え、
前記スイッチ手段は、前記加熱／停止操作部による前記加熱開始指令の操作に応答して、前記制御部への電源の供給を開始し、前記チャイルドロックモード設定操作部の操作に応答して、前記制御部への電源の供給を開始するものであり、
前記制御部は、前記記憶部の記憶内容に基づいて、前記チャイルドロックモードが設定されていると判断される場合に、前記加熱／停止操作部による前記加熱開始指令の操作に応答して、前記電源の供給が開始されたときには、前記開閉弁を閉止状態に保持して前記バーナへの燃料ガスの供給を遮断する、
請求項２に記載のガス調理器。
【請求項４】
前記バーナ、前記加熱／停止操作部、前記開閉弁をそれぞれ複数備え、前記制御部は、前記複数の開閉弁を制御すると共に、前記複数の加熱／停止操作部の操作に基づいて、前記複数のバーナの加熱の開始及び加熱の停止を制御するものであり、
前記複数の加熱／停止操作部の内、一部の加熱／停止操作部の操作を規制するためのロック位置と規制を解除するためのロック解除位置とに切換え操作されるチャイルドロック操作部と、
前記チャイルドロック操作部の切換え操作に連動して、前記チャイルドロック操作部が前記ロック位置にあるときには、前記一部の加熱／停止操作部による前記加熱開始指令のための操作位置を、前記バーナの加熱開始を禁止する規制位置に規制する一方、前記チャイルドロック操作部が前記ロック解除位置にあるときには、前記加熱開始指令のための操作位置の規制を解除する規制手段と、
前記チャイルドロック操作部が、前記ロック位置にあるか前記ロック解除位置にあるかを検出する操作位置検出部とを備え、
前記制御部は、前記操作位置検出部の検出出力に基づいて、前記チャイルドロック操作部が、前記ロック位置にあると判断される場合に、前記加熱／停止操作部による前記加熱開始指令の操作に応答して、前記電源の供給が開始されたときには、前記開閉弁を閉止状態に保持して前記バーナへの燃料ガスの供給を遮断する、
請求項１に記載のガス調理器。
【請求項５】
前記複数のバーナが、コンロバーナ及びグリルバーナを含み、
前記一部の加熱／停止操作部が、前記グリルバーナに対応する加熱／停止操作部である、
請求項４に記載のガス調理器。
【発明の詳細な説明】
【技術分野】
【０００１】
本発明は、ガス調理器に関する。
【背景技術】
【０００２】
ガス調理器であるガスコンロには、制御部へ電源を供給するための電源スイッチが備えられていない機種がある。かかる機種においては、バーナによる加熱の開始と加熱の停止を指令するための操作部としての点消火ボタンを押し込んで点火操作することによって、制御部に電源が供給されると共に、バーナの点火が行われる。
【０００３】
このようなガスコンロでは、例えば子供のいたずら操作などによって、点消火ボタンが押し込まれてバーナが点火してしまうのを防止するために、いわゆるチャイルドロックが設けられている（例えば、特許文献１参照）。
【先行技術文献】
【特許文献】
【０００４】
【特許文献１】特開平６−１４７４８１号公報
【発明の概要】
【発明が解決しようとする課題】
【０００５】
上記のチャイルドロックは、ロックレバー等の摘みをロック位置へ操作することによって、点消火ボタンの押し込み操作を機械的に阻止するものである。
【０００６】
このように点消火ボタンが押し込まれるのを機械的に阻止するチャイルドロックでは、ロックレバー等の摘みやその摘みに連動して点消火ボタンの押し込みを規制する規制部材等を必要とするために、部品点数が多く、構造が複雑となって、コスト高になる。
【０００７】
また、ロックレバー等の摘みを設ける位置も点消火ボタンの近傍に制約されるために、デザインの自由度が制限される。
【０００８】
特に、複数のコンロバーナ及びグリルバーナを備える機種では、各バーナの点消火ボタンの点火操作をそれぞれ機械的に阻止する必要があるために、その傾向が顕著となる。
【０００９】
本発明は、上記のような点に鑑みてなされたものであって、バーナの点火操作を機械的に阻止するチャイルドロックの数を可及的に低減することを目的とする。
【課題を解決するための手段】
【００１０】
上記目的を達成するために、本発明では次のように構成している。
【００１１】
（１）本発明は、被加熱物を加熱するバーナと、前記バーナによる加熱の開始および加熱の停止を指令するために操作される加熱／停止操作部と、前記バーナへ燃料ガスを供給するガス流路に設けられて、前記ガス流路を開閉して前記バーナへの燃料ガスの供給及び遮断を行う開閉弁と、前記開閉弁を制御すると共に、前記加熱／停止操作部の操作に基づいて、前記バーナの加熱の開始及び加熱の停止を制御する制御部とを備え、前記加熱／停止操作部による加熱開始指令の操作に応答して、前記制御部への電源の供給を開始するガス調理器であって、
前記制御部は、チャイルドロックモードが設定されている場合に、前記加熱／停止操作部による前記加熱開始指令の操作に応答して、前記電源の供給が開始されたときには、前記開閉弁を閉止状態に保持して前記バーナへの燃料ガスの供給を遮断する。
【００１２】
本発明によると、チャイルドロックモードが設定されている場合に、加熱／停止操作部が操作されて制御部に電源が供給されると、制御部は、開閉弁を閉止状態に保持してバーナへの燃料ガスの供給を遮断するので、バーナが点火して加熱を開始することはない。これによって、加熱／停止操作部の加熱開始指令の操作を、機械的に阻止するチャイルドロックを設ける必要がなく、構造が簡素化され、コストを低減することができる。
【００１３】
（２）本発明の好ましい実施態様では、前記チャイルドロックモードを設定するために操作されるチャイルドロックモード設定操作部を備える。
【００１４】
チャイルドロックモード設定操作部は、チャイルドロックモードの設定のみではなく、その設定を解除できるのが好ましい。
【００１５】
この実施態様によると、チャイルドロックモード設定操作部を操作してチャイルドロックモードを設定することができる。また、チャイルドロックモードは、加熱／停止操作部による加熱開始指令の操作を機械的に阻止するチャイルドロックではないので、チャイルドロックモード設定操作部は、機械的なチャイルドロックのように、ロック位置へ操作するためのロックレバー等の摘みである必要はなく、また、その配置が、点消火ボタンのような加熱／停止操作部の近傍に制限されることもない。これによって、デザイン設計の自由度が向上する。
【００１６】
（３）本発明の他の実施態様では、前記制御部への電源の供給及び遮断を行うスイッチ手段と、前記チャイルドロックモード設定操作部の操作による前記チャイルドロックモードの設定の有無が記憶される記憶部とを備え、前記スイッチ手段は、前記加熱／停止操作部による前記加熱開始指令の操作に応答して、前記制御部への電源の供給を開始し、前記チャイルドロックモード設定操作部の操作に応答して、前記制御部への電源の供給を開始するものであり、前記制御部は、前記記憶部の記憶内容に基づいて、前記チャイルドロックモードが設定されていると判断される場合に、前記加熱／停止操作部による前記加熱開始指令の操作に応答して、前記電源の供給が開始されたときには、前記開閉弁を閉止状態に保持して前記バーナへの燃料ガスの供給を遮断する。
【００１７】
この実施態様によると、当該ガス調理器による調理が終了し、チャイルドロックモードを設定するために、チャイルドロックモード設定操作部を操作すると、スイッチ手段は、制御部への電源の供給を開始するので、制御部が起動され、チャイルドロックモードが設定されたことを記憶部に記憶させることができる。このチャイルドロックモードの設定が終了した後に、例えば、子供のいたずらなどによって、加熱／停止操作部が操作されると、制御部に電源が供給され、制御部は記憶部の内容を読み出してチャイルドロックモードが設定されていることを認識し、開閉弁を閉止状態に保持してバーナへの燃料ガスの供給を遮断するので、バーナが点火して加熱を開始することはない。
【００１８】
（４）本発明の他の実施態様では、前記バーナ、前記加熱／停止操作部、前記開閉弁をそれぞれ複数備え、前記制御部は、前記複数の開閉弁を制御すると共に、前記複数の加熱／停止操作部の操作に基づいて、前記複数のバーナの加熱の開始及び加熱の停止を制御するものであり、前記複数の加熱／停止操作部の内、一部の加熱／停止操作部の操作を規制するためのロック位置と規制を解除するためのロック解除位置とに切換え操作されるチャイルドロック操作部と、前記チャイルドロック操作部の切換え操作に連動して、前記チャイルドロック操作部が前記ロック位置にあるときには、前記一部の加熱／停止操作部による前記加熱開始指令のための操作位置を、前記バーナの加熱開始を禁止する規制位置に規制する一方、前記チャイルドロック操作部が前記ロック解除位置にあるときには、前記加熱開始指令のための操作位置の規制を解除する規制手段と、前記チャイルドロック操作部が、前記ロック位置にあるか前記ロック解除位置にあるかを検出する操作位置検出部とを備え、前記制御部は、前記操作位置検出部の検出出力に基づいて、前記チャイルドロック操作部が、前記ロック位置にあると判断される場合に、前記加熱／停止操作部による前記加熱開始指令の操作に応答して、前記電源の供給が開始されたときには、前記開閉弁を閉止状態に保持して前記バーナへの燃料ガスの供給を遮断する。
【００１９】
この実施態様によると、複数の加熱／停止操作部の内、一部の加熱／停止操作部については、チャイルドロック操作部を操作して、ロック位置にすることによって、チャイルドロック操作部の操作に連動する規制手段によって、前記一部の加熱／停止操作部による加熱開始指令のための操作位置を、バーナの加熱開始を禁止する規制位置に規制することがきる、すなわち、前記一部の加熱／停止操作部による操作を、機械的に阻止するチャイルドロックが可能である。
【００２０】
また、機械的なチャイルドロックが行われる前記一部の加熱／停止操作部以外の残余の加熱／停止操作部については、制御部は、加熱／停止操作部が操作されて電源が供給されると、操作位置検出部によって、チャイルドロック操作部がロック位置にあることが検出されると、開閉弁を閉止状態に保持してバーナへの燃料ガスの供給を遮断するので、バーナが点火して加熱を開始することはない。つまり、残余の加熱／停止操作部については、制御部の制御によるチャイルドロック、すなわち、チャイルドロックモードが実行されるので、機械的なチャイルドロックのための規制手段等を設ける必要がなく、その分、構造が簡素化される。
【００２１】
更に、制御部は、操作位置検出部の検出出力に基づいて、チャイルドロック操作部が、ロック位置にあるかロック解除位置にあるかを判断するので、チャイルドロックモードを設定するために、制御部に電源を供給したり、チャイルドロックモードの設定の有無を記憶部に記憶させる必要がない。しかも、残余の加熱／停止操作部のためにチャイルドロックモードを設定するチャイルドロックモード設定用の操作部を別途設ける必要がない。
【００２２】
（５）本発明の更に他の実施態様では、前記複数のバーナが、コンロバーナ及びグリルバーナを含み、前記一部の加熱／停止操作部が、前記グリルバーナに対応する加熱／停止操作部である。
【００２３】
この実施態様によると、グリルバーナの加熱／停止操作部の加熱開始指令の操作は、規制手段によって機械的に阻止される一方、コンロバーナの加熱／停止操作部の加熱開始指令の操作は、制御部が、開閉弁を閉止状態に保持するという制御、すなわち、チャイルドロックモードの実行によって阻止されるので、コンロバーナについては、加熱／停止操作部の加熱開始指令の操作を機械的に阻止する規制手段等を設ける必要がなく、その分、構造が簡素化される。更に、コンロバーナについては、グリルバーナのチャイルドロック操作部の操作位置の検出によって、ロック位置にあるときに、開閉弁を閉止状態に保持してチャイルドロックモードを実行するので、チャイルドロックモードを設定するための操作部を別途設ける必要がない。
【発明の効果】
【００２４】
本発明によれば、チャイルドロックモードが設定されている場合に、加熱／停止操作部が操作されて制御部に電源が供給されると、制御部は、開閉弁を閉止状態に保持してバーナへの燃料ガスの供給を遮断するので、バーナが点火して加熱を開始することはない。これによって、加熱／停止操作部の操作位置を、機械的に阻止する規制部材等を設ける必要がなく、構造が簡素化され、コストの低減を図ることができる。
【図面の簡単な説明】
【００２５】
【図１】本発明の一実施形態のガスコンロの全体斜視図である。
【図２】図１のガスコンロの調理設定部の正面図である。
【図３】図１のガスコンロのコンロバーナおよびグリルバーナへのガス供給の説明図である。
【図４】図１のガスコンロのガス弁ブロックの概略断面図である。
【図５】図１のガスコンロのコンロバーナの断面図である。
【図６】ラッチ式電磁弁の開閉状態とバーナの火力との関係を示す図である。
【図７】図１のガスコンロの要部の回路図である。
【図８】本発明の他の実施形態のガスコンロの正面図である。
【図９】図８のガスコンロのロック解除状態における点消火ボタンの背面側を示す斜視図である。
【図１０】図８のガスコンロのロック状態における点消火ボタンの背面側を示す斜視図である。
【図１１】図８のガスコンロの図７に対応する要部の回路図である。
【発明を実施するための形態】
【００２６】
以下、添付した図面を参照して、本発明の実施形態に係るガス調理器としてのガスコンロを説明する。
【００２７】
図１は、本発明の一実施形態に係るガスコンロ１の全体斜視図であり、このガスコンロ１は、コンロ部とグリル部とを備えたビルトイン型のガスコンロである。
【００２８】
このガスコンロ１の天面部を構成するトッププレート１１には、複数の加熱部２が設けてある。本実施形態では、図１に示すように、向かって左側および右側に加熱部２として高火力のコンロバーナ３１を備えたコンロ部２ａが設けてある。トッププレート１１の上面には、各コンロバーナ３１を中心にして五徳２１が設けてあり、前記コンロバーナ３１と五徳２１と、点火装置２３及び点火検知装置２４（図３参照）とで、加熱部２としてのコンロ部２ａが構成される。
【００２９】
なお、点火装置２３は、入力回路（高圧トランスの１次側巻き線を含む）が一つに対して出力回路（高圧トランスの２次側巻き線）が各バーナの数だけ備えられ、一つの前記入力回路への通電により各々の前記出力回路（高圧トランスの２次側巻き線）に高電圧が発生し、各バーナの全てに点火用放電のための高電圧が供給される。
【００３０】
各コンロ部２ａには、図５に示すように、五徳２１上に載置される被加熱物としての調理容器を検知する容器検知手段２５と、調理容器の下面の温度を検知する温度センサ２６とが設けてある。容器検知手段２５は、ガスコンロ１に固定される支持部２５ａと、支持部２５ａに上下方向に移動自在に支持される可動部２５ｂと、可動部２５ｂの上下位置を検知する検知スイッチ２５ｃとによって構成される。可動部２５ｂは、ばね等の付勢手段（図示せず）により上方に付勢され、その上端部は五徳２１よりも上方に突出する。この状態で五徳２１上に調理容器が載置されると、可動部２５ｂの上端部が調理容器の下面によって押し下げられ、可動部２５ｂの下動に伴い検知スイッチ２５ｃにより下動が検知され、後述のマイクロコンピュータ（マイコン）からなる制御部に認識される。そして、可動部２５ｂの上端部に上記温度センサ２６が設けられ、調理容器が五徳２１上に載置された時に調理容器の下面に当接して温度を検出し、検出温度は上記制御部に認識される。
【００３１】
また、ガスコンロ１には、図１に示すように、加熱部２としてのグリル部２ｂが設けてある。この実施形態のグリル部２ｂは、片面グリルであり、ガスコンロ１の本体内の中央部に形成されるグリル庫と、グリル庫内に設けられる上グリルバーナ２９（図３参照）と、点火装置２３及び点火検知装置２４とで構成され、グリル部２ｂの前端は、ガスコンロ１の前面部１２に開口していてグリル扉２８によって開閉自在に閉塞される。なお、グリル部２ｂは、片面グリルに限らず、両面グリルであってもよい。
【００３２】
点火装置２３は、イグナイタ（図示せず）で発生させる高圧パルスにより、コンロバーナ３１及び上グリルバーナ２９の燃料ガスの吐出口に設けられる点火プラグに放電を起こさせて点火するもので、イグナイタは上記制御部により制御される。
【００３３】
点火検知装置２４は、コンロバーナ３１及び上グリルバーナ２９に設けられる熱電対からなるもので、点火されると火炎の熱により発生する熱起電力が上記制御部に認識される。
【００３４】
グリル扉２８の両側には、図１に示すように、グリル扉２８と共にガスコンロ１の前面部１２を構成する前面パネルＰ１、Ｐ２が設けてある。左側の前面パネルＰ１の上側には、左側のコンロバーナ３１を点火及び消火するための点消火ボタン１４ａが設けてあり、右側の前面パネルＰ２の上側には、上グリルバーナ２９を点火及び消火するための点消火ボタン１４ｂ、右側のコンロバーナ３１を点火及び消火するための点消火ボタン１４ｃとが設けてある。これら点消火ボタン１４（１４ａ〜１４ｃ）が、加熱部２での加熱の開始及び加熱の停止を指令するために操作される加熱／停止操作部となっている。また前面部１２には、各加熱部２の加熱量を調節するために操作される火力調節レバー１５（１５ａ〜１５ｃ）がそれぞれ各点消火ボタン１４ａ〜１４ｃの上方に設けてある。
【００３５】
ガスコンロ１の左側の前面パネルＰ１の下側には、図２に示すように、コンロ用の調理設定部７が設けられ、ガスコンロ１の右側の前面パネルＰ２の左下には、グリル用の操作部８が設けられている。また、ガスコンロ１の右側の前面パネルＰ２の右下には、上記制御部を構成するマイコンの電源となる電池が収容される電池ケース１３が設けられている。
【００３６】
コンロ用の調理設定部７は、図２に示すように、揚げもの、炊飯、湯わかしの自動調理のメニューを設定するための設定部や表示部を備えると共に、調理時間を設定するためのプラスキー７１ａ及びマイナスキー７１ｂからなるタイマー入力部７１と、タイマー表示部７２とを備えている。
【００３７】
更に、この実施形態では、調理設定部７の右端下部には、後述のチャイルドロックモードを設定するために操作されるチャイルドロックモード設定操作部としてのチャイルドロックスッチ９０が設けられると共に、チャイルドロックモードであるときに、それを点灯表示するチャイルドロックランプ９１が設けられる。
【００３８】
図３は、ガスコンロ１のコンロバーナ３１および上グリルバーナ２９へのガス供給の説明図であり、図４は、各バーナへの燃料ガスの供給及び遮断を行うガス弁ブロック６の概略断面図である。このガス弁ブロック６は、コンロバーナ３１及び上グリルバーナ２９に対して同一仕様となっている。
【００３９】
ガス弁ブロック６は、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁６３用の弁孔が設けてある。メイン弁６３用の弁孔の下流側は、大火用の流路６１ｃと小火用の流路６１ｄとが並列に設けてあり、大火用の流路６１ｃに大火力／小火力切替用のラッチ式電磁弁ＬＢ１用の弁孔が設けてあり、小火用の流路６１ｄにラッチ式電磁弁ＬＢ２用の弁孔が設けてある。
【００４０】
この実施形態では、ラッチ式電磁弁ＬＢ１，ＬＢ２は、図３に示すように、各バーナ３１，２９に、それぞれ燃料ガスを供給するガス流路６１にそれぞれ設けられた開閉弁であって、その開閉が、上記制御部によって後述のように制御されて燃料ガスの供給遮断を行う。なお、大火力と小火力との切替えを行わない場合には、ラッチ式電磁弁ＬＢ１，ＬＢ２のいずれか一方のラッチ式電磁弁及びその流路を省略してもよい。また、ラッチ式電磁弁ＬＢ１，ＬＢ２を並列ではなく、直列に設けてもよく、この場合、一方のラッチ式電磁弁を閉止して燃料ガスの供給を遮断してもよい。
【００４１】
ラッチ式電磁弁ＬＢ１の弁孔の下流側と、ラッチ式電磁弁ＬＢ２の下流側に位置する小火用オリフィスｏｆ２の下流側とで、大火用の流路６１ｃと小火用の流路６１ｄとが合流し、更にその下流側には、火力調節レバー１５と連動する流量制御弁６５用の弁孔が設けてある。
【００４２】
因みに、上述した容器検知手段２５により調理容器が検知されていない時に点消火ボタン１４を操作した場合には、上記制御部によりラッチ式電磁弁ＬＢ１及びラッチ式電磁弁ＬＢ２が閉止されて、加熱を開始しないようにする容器検知制御が行われるもので、五徳２１上に調理容器が載置されていない場合には、コンロバーナ３１に炎が形成されないように構成してある。
【００４３】
また、ガス流路６１には、前記ラッチ式電磁弁ＬＢ１及びラッチ式電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック６を複数機種で共用するために設けられるもので、ガス弁ブロック６を他の機種への応用において使用する時には開口される場合があるが、本実施形態においては、バイパス用オリフィスｏｆ１は閉塞体（図示せず）により閉塞されている。
【００４４】
火力調節レバー１５を中火から大火の間の位置に設定しておいたときに、ラッチ式電磁弁ＬＢ１とラッチ式電磁弁ＬＢ２との開・閉の組合せに応じて、バーナの火力が、上記制御部によって、図６に示されるような態様で調整制御される。
【００４５】
なお、ラッチ式電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は、例えば２００〜３００ｍ秒に設定されており、火力を種々の状態に維持する場合にも省電力であることから、機器の電源として乾電池が用いられる場合に特に好適に用いられる。
【００４６】
流量制御弁６５用の弁孔の下流側は、コンロバーナ３１にガスを供給するための導出口６１ｂに至る。
【００４７】
器具栓本体６０には、スライダ６６が前後方向に移動自在に取り付けてあり、スライダ６６は前端面が点消火ボタン１４により後方に押圧されることで後退するようになっている。
【００４８】
点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切替機構（図示せず）が設けてあり、前記点消火ボタン１４を押し操作する毎に、スライダ６６が後位置から前進して前位置に位置したり、前位置から後退して後位置に位置して、前位置と後位置とが切り替わって保持される。
【００４９】
また、スライダ６６の進退に伴って進退するバルブロッド６７が設けてある。バルブロッド６７の先端側は、ガス流路６１内に挿入され、その先端部は、後方すなわち下流側より上流側に向けて、メイン弁６３用の弁孔と安全弁６２用の弁孔とに挿通されている。バルブロッド６７は、スライダ６６が前位置から後位置に切り替わる際、一旦後位置よりも後方の最後位置に後退してから後位置にまで前進するが、この最後位置に移動した時に、安全弁６２用の弁孔を上流側より閉止している安全弁６２の弁体を上流側に移動させて、安全弁６２用の弁孔を開放する。安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００５０】
安全弁６２は、点火検知装置２４により火炎が検知されている場合にのみ上記制御部により開放状態が維持され、火炎が検知されなくなると上記制御部による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００５１】
バルブロッド６７の途中には、メイン弁６３用の弁孔を開閉するメイン弁体が設けてある。そして、スライダ６６が前位置に位置している時にはメイン弁体がメイン弁６３用の弁孔を後方より閉止し、スライダ６６が後位置に位置している時にはメイン弁体がメイン弁６３用の弁孔より後方に位置してメイン弁６３用の弁孔を開放する。
【００５２】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
【００５３】
点消火ボタン１４又はスライダ６６の位置によりＯＮ／ＯＦＦが切り替わる器具栓スイッチが設けてある。器具栓スイッチは、点消火ボタン１４（又はスライダ６６）が前位置に位置している時にはＯＦＦとなり、後位置（最後位置も含む）に位置している時にＯＮとなる。
【００５４】
コンロバーナ３１、上グリルバーナ２９の点火を行うには、点消火ボタン１４を押し操作して、スライダ６６を前位置から後位置に後退させる。スライダ６６と共に後退したバルブロッド６７により、安全弁６２が開放されると共にメイン弁６３が開放され、燃料ガスがコンロバーナ３１、上グリルバーナ２９に供給される。また、スライダ６６が後退することにより器具栓スイッチがＯＮとなり、後述のように上記制御部への給電がＯＮとなって制御部が動作を開始する。
【００５５】
点消火ボタン１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行う時、操作部の操作と連動して火力が中火力側に移動するようになっていて、点火時には中程度の火力となっている。
【００５６】
全ての点消火ボタン１４のスライダ６６を前位置にすると、メイン弁６３が閉止して消火し、器具栓スイッチがＯＦＦになり、安全弁６２が閉止すると共に電源保持信号の出力が停止して制御部への給電が終了する。
【００５７】
この実施形態では、点消火ボタン１４の点火操作を機械的に阻止するチャイルドロックを無くして構造を簡素化してコストの低減を図るために、次のように構成している。
【００５８】
すなわち、この実施形態では、点消火ボタン１４の点火操作を機械的に阻止するのではなく、上記制御部は、チャイルドロックモードが設定されている場合に、点消火ボタン１４の点火操作がされると、上記ラッチ式電磁弁ＬＢ１，ＬＢ２を閉止状態に保持してバーナ３１，２９への燃料ガスの供給を遮断するという、チャイルドロックモードを実行し、これによって、バーナ３１，２９が点火しないようにしている。
【００５９】
このため、調理設定部７には、上記のように、チャイルドロックモードを設定するためのチャイルドロックモード設定操作部としてのチャイルドロックスイッチ９０が設けられる。
【００６０】
このチャイルドロックモードを設定する場合には、チャイルドロックスイッチ９０を、例えば、３秒以上長押し操作する。
【００６１】
図７は、上記制御部としてのマイコンへの電源の供給及びチャイルドロックモードの設定動作等を説明するための要部の回路図である。
【００６２】
図７において、１７，１８，１９は、グリル用、左コンロ用、及び、右コンロ用の各器具栓スイッチであり、各器具栓スイッチ１７，１８，１９は、点消火ボタン１４ｂ，１４ａ，１４ｃの各操作に応じて上記のようにそれぞれオン、オフする。
【００６３】
各器具栓スイッチ１７〜１８のうち、例えば、右コンロ用の点消火ボタン１４ｃが押し操作されて器具栓スイッチ１９がオン状態になると、電源部３２から、器具栓スイッチ１９、ダイオードＤ３、抵抗Ｒ４、抵抗Ｒ５を介して電流が流れ、第２トランジスタＱ２のベース電位が高くなって当該第２トランジスタＱ２がオンする。
【００６４】
第２トランジスタＱ２がオンすると、該第２トランジスタＱ２に抵抗Ｒ６を介してベースが接続されている第１トランジスタＱ１のベース電位が低下して当該第１トランジスタＱ１がオンし、これによって、電源部３２から第１トランジスタＱ１のコレクタ−エミッタを介してマイコン３３の電源入力端子に電源が供給されて、マイコン３３が起動される。すなわち、点消火ボタン１４の押し操作に応答して、マイコン３３に電源が供給される。
【００６５】
マイコン３３は、上記の制御部として機能する。また、マイコン３３は、調理設定部７のチャイルドロックスイッチ９０の操作に基づいて、チャイルドロックモードの設定の有無を記憶素子９２に記憶させると共に、チャイルドロックモードが設定されているときには、チャイルドロックモードを実行する。記憶素子９０は、例えば、書換え可能な不揮発性メモリからなる。
【００６６】
第１トランジスタＱ１は、マイコン３３への電源の供給および遮断を行うスイッチ手段を構成している。
【００６７】
上記のように器具栓スイッチ１９がオン状態になると、電源部３２から、器具栓スイッチ１９及び抵抗Ｒ３を介してグランドに電流が流れ、マイコン３３の右コンロ入力端子の電位がハイレベルとなって、マイコン３３は、右コンロ用の点消火ボタン１４ｃの点火操作を認識することができ、チャイルドロックモードが設定されていない場合には、右コンロのバーナ３１を点火して加熱を開始する。
【００６８】
マイコン３３は、電源部３２から電源が供給されて起動されると、出力端子からハイレベルの電源保持信号を出力する。この出力端子は、ダイオードＤ４及び抵抗Ｒ８を介して第３トランジスタＱ３のベースに接続され、また、第３トランジスタＱ３のベースは、抵抗Ｒ９を介して接地されている。また、第３トランジスタＱ３のベースは、第４トランジスタＱ４のコレクタ−エミッタを介して電源部３２にも接続されている。
【００６９】
そのため、マイコン３３の出力端子から前記のようにハイレベルの電源保持信号が出力されると、第３トランジスタＱ３のベース電位が高くなって第３トランジスタＱ３がオンする。第３トランジスタＱ３がオンすると、第２トランジスタＱ２がオフしても第１トランジスタＱ１はオンする。すなわち、マイコン３３への給電状態が維持される。
【００７０】
マイコン３３は、全ての器具栓スイッチ１７〜１９がオフされても一定期間に亘って電源保持信号を出力して給電状態を維持して所要の処理を行うことが可能となっている。マイコン３３は、全ての器具栓スイッチ１７〜１９がオフされて前記一定期間が経過した後、電源保持信号の出力を停止し、これによって、第３トランジスタＱ３がオフし、更に、第１トランジスタＱ１がオフしてマイコン３３への電源の供給が遮断される。
【００７１】
上記では、右コンロ用の点消火ボタン１４ｃが押し操作されて器具栓スイッチ１９がオン状態になった場合について説明したが、グリル用の点消火ボタン１４ｂが押し操作されて器具栓スイッチ１７がオン状態になった場合、及び、左コンロ用の点消火ボタン１４ａが押し操作されて器具栓スイッチ１８がオン状態になった場合も同様である。
【００７２】
本実施形態では、上記のように、調理設定部７にチャイルドロックスイッチ９０が設けられており、押し操作されていない状態では、チャイルドロックスイッチ９０は、オフ状態である。
【００７３】
次に、ガスコンロ１の使用終了後、チャイルドロックモードを設定するために、使用者が、チャイルドロックスイッチ９０を３秒以上長押し操作すると、チャイルドロックスイッチ９０が３秒以上に亘ってオン状態となる。
【００７４】
チャイルドロックスイッチ９０がオンされると、電源部３２から抵抗Ｒ１０、抵抗Ｒ１１、抵抗Ｒ１３、チャイルドロックスイッチ９０を介して電流が流れる。これによって、抵抗Ｒ１０にベースエミッタ間が接続されている第４トランジスタＱ４のベース電位が低下し、第４トランジスタＱ４がオンする。第４トランジスタＱ４は、第３トランジスタＱ３のベースに抵抗Ｒ７を介して接続されているので、第４トランジスタＱ４がオンすると、電源部３２から、第４トランジスタＱ４、抵抗Ｒ７、抵抗Ｒ９を介して電流が流れることによって、第３トランジスタＱ３のベース電位が高くなって、第３トランジスタＱ３がオンする。第３トランジスタＱ３がオンすると、該第３トランジスタＱ３のコレクタに抵抗Ｒ６を介してベースが接続されている第１トランジスタＱ１のベース電位が低下してオンし、電源部３２から、第１トランジスタＱ１のコレクタ−エミッタを介してマイコン３３の電源入力端子に電源が供給されて、マイコン３３が動作を開始する。すなわち、チャイルドロックスイッチ９０の押し操作に応答して、マイコン３３に電源が供給される。
【００７５】
また、チャイルドロックスイッチ９０が、オン状態になると、マイコン３３のチャイルドロックモードスイッチ（ＳＷ）入力端子は、ダイオードＤ５のアノードカソード間電位、つまりローレベル電位に変化する。これによって、マイコン３３は、上記第１トランジスタＱ１のオンに伴う起動により、チャイルドロックスイッチ９０が長押し操作されたことを認識し、記憶素子９２にチャイルドモードが設定されたことを記憶させると共に、チャイルドロックモードを実行する。
【００７６】
すなわち、チャイルドロックモード中は、マイコン３３は、ラッチ式電磁弁ＬＢ１及びラッチ式電磁弁ＬＢ２を閉止状態に保持し、バーナ３１，２９への燃料ガスの供給を遮断する。これによって、チャイルドロックモードでは、点消火ボタン１４ｂ，１４ａ，１４ｃを点火操作しても、コンロバーナ３１及び上グリルバーナ２９は、点火しない。
【００７７】
したがって、例えば、子供が、チャイルドロックモード中に、使用されていない状態のガスコンロ１の、例えば、右コンロ用の点消火ボタン１４ｃを不用意に押し操作して器具栓スイッチ１９がオン状態になると、上記のように、マイコン３３に電源が供給されて、マイコン３３が起動されるが、マイコン３３は、記憶素子９２から記憶内容を読出し、チャイルドロックモードが設定されているので、チャイルドロックモードを実行し、ラッチ式電磁弁ＬＢ１及びラッチ式電磁弁ＬＢ２を閉止状態に保持する。これによって、コンロバーナ３１の点火が禁止される。
【００７８】
なお、この実施形態では、チャイルドロックモードを解除するときには、チャイルドロックモードを設定するときと同様に、チャイルドロックスイッチ９０を、例えば、３秒以上長押し操作する。
【００７９】
このように本実施形態では、チャイルドロックスイッチ９０が操作されてチャイルドロックモードが設定されると、その後、点消火ボタン１４が押し操作、すなわち、点火操作されても、ラッチ式電磁弁ＬＢ１，ＬＢ２を閉止状態に保持して燃料ガスの供給を遮断し、バーナ３１，２９の点火を禁止する。
【００８０】
したがって、点消火ボタンの押し操作を機械的に阻止するチャイルドロックのようなスライド式のロックレバーのような摘みやロックレバーのスライド操作に応じて、点消火ボタンの押し操作を規制する規制部材等を設ける必要がなく、その分、構造が簡素化され、複雑な組立、調節等の必要がなく、コストを低減することができる。
【００８１】
また、ロックレバー等の摘みを、点消火ボタンの近傍の制約された領域に配置する必要もなく、タッチ式のチャイルドロックスイッチ等を所望の位置に設ければよく、デザイン設計の自由度が向上する。
【００８２】
上記実施形態では、全てのバーナ３１，３１，２９について、その点消火ボタン１４の点火操作を機械的に阻止するチャイルドロックではなく、マイコン３３の制御によるチャイルドロックモードの実行によって、点消火ボタンの点火操作を無効としたが、発明の他の実施形態として、一部のバーナについては、その点消火ボタン１４の点火操作を機械的に阻止するチャイルドロックとしてもよい。
【００８３】
図８は、本発明の他の実施形態のガスコンロの正面図である。
【００８４】
この実施形態のガスコンロ１０１は、２つのコンロ部１０２ａと、グリル部１０２ｂとを備えており、前面の左側には、左側のコンロバーナ１３１用の点消火ボタン１１４ａが配設され、前面の右側には、右側のコンロバーナ１３１用の点消火ボタン１１４ｃ及びグリルバーナ用の点消火ボタン１１４ｂが配設されている。また、前面の左側の点消火ボタン１１４ａには、隣接して電池ケース１１３が配設されている。
【００８５】
このガスコンロ１０１の前面には、上記各点消火ボタン１１４ａ，１１４ｃ，１１４ｂの上方に、各コンロバーナ１３１，１３１の火力を調節する火力調節レバー１１５ａ，１１５ｃ及びグリル部１０２ｂのグリルバーナ（図示せず）の火力を調節する火力調節レバー１１５ｂが設けられている。
【００８６】
この実施形態のガスコンロ１０１は、左側のコンロバーナ１３１は、上記実施形態と同様に、チャイルドロックモードが設定されているときには、マイコンの制御によってチャイルドロックモードを実行する一方、右側のコンロバーナ１３１及びグリルバーナは、点消火ボタン１１４ｃ，１１４ｂの点火操作を機械的に阻止するチャイルドロックを行うものである。
【００８７】
このため、前面右側の２つの点消火ボタン１１４ｂ，１１４ｃの下方の中間位置には、スライド操作可能なチャイルドロック操作部としてのチャイルドロックレバー１１０が配設されており、このチャイルドロックレバー１１０を、図８に示すように、左方へスライド操作してロック位置にすると、点消火ボタン１１４ｂ，１１４ｃの押し操作、すなわち、点火操作が規制され、右方へスライド操作してロック解除位置にすると、点消火ボタン１１４ｂ，１１４ｃの押し操作、すなわち、点火操作の規制が解除され、点火操作が可能となる。
【００８８】
一方、左側の点消火ボタン１１４ａについては、その点火操作を機械的に阻止するチャイルドロックではないので、チャイルドロックレバーは設けられていない。
【００８９】
この実施形態では、上記実施形態のようなチャイルドロックスイッチ９０は設けられておらず、左側の点消火ボタン１１４ａに対するチャイルドロックモードの設定及びその設定の解除は、右側の点消火ボタン１１４ｃ，１１４ｂのチャイルドロックレバー１１０によって行う。
【００９０】
すなわち、チャイルドロックレバー１１０を、左方へスライド操作してロック位置にすると、左側の点消火ボタン１１４ａに対するチャイルドロックモードが設定され、チャイルドロックレバー１１０を、右方へスライド操作してロック解除位置にすると、左側の点消火ボタン１１４ａに対するチャイルドロックモードの設定が解除される。
【００９１】
つまり、右側の点消火ボタン１１４ｃ，１１４ｂついてのチャイルドロックレバー１１０を、左側の点消火ボタン１１４ａのチャイルドロックモードの設定及びその解除を行うチャイルドロックモード設定操作部に兼用している。
【００９２】
このようにチャイルドロックレバー１１０を、左側の点消火ボタン１１４ａのチャイルドロックモードの設定及びその解除を行うチャイルドロックモード設定操作部として兼用するために、チャイルドロックレバー１１０の操作位置が、上記のロック位置にあるのか、ロック解除位置にあるのかを検出して、その検出出力を、制御部としてのマイコンへ入力するように構成している。
【００９３】
図９は、チャイルドロックレバー１１０がロック解除位置にあるときの点消火ボタン１１４ｂ，１１４ｃの背面側の要部を示す斜視図であり、図１０は、チャイルドロックレバー１０がロック位置にあるときの点消火ボタン１１４ｂ，１１４ｃの背面側の要部を示す斜視図である。
【００９４】
この実施形態では、点消火ボタン１１４ｂ，１１４ｃの背面下部の前後移動軌跡内に、左右方向にスライド移動操作可能な規制手段としての規制部材１１６を配設している。
【００９５】
この規制部材１１６からは、コンロ前面に操作可能に露出する上記チャイルドロックレバー１１０が延出されている。このチャイルドロックレバー１１０のスライド操作によって、該チャイルドロックレバー１１０と一体の規制部材１１６が、点消火ボタン１１４ｂ，１１４ｃの後方移動を妨げない図９のロック解除位置、あるいは、規制部材１１６が、点消火ボタン１１４ｂ，１１４ｃの後方移動に規制するロック位置となる。
【００９６】
チャイルドロックレバー１１０の操作方向である左右方向にスライド移動可能な規制部材１１６の上部には、各点消火ボタン１１４ｂ，１１４ｃの下端部に対応する一対の当接規制部１１７，１１７が突設されている。他方、各点消火ボタン１４ｂ，１４ｃの下端部には、後方向きに開放された凹部１１８，１１８がそれぞれ形成されている。
【００９７】
規制部材１１６から延出されたチャイルドロックレバー１１０が、ロック解除位置にあるロック解除状態では、図９に示すように、両点消火ボタン１１４ｂ，１１４ｃの凹部１１８，１１８が、規制部材１１６の当接規制部１１７，１１７にそれぞれ対向した位置にある。このロック解除状態では、両点消火ボタン１１４ｂ，１１４ｃは、その凹部１１８，１１８が当接規制部１１７，１１７にそれぞれ対向しているので、規制部材１１６の当接規制部１１７，１１７による当接規制を受けることなく大きく押し込み操作することができ、それぞれ点火操作を行うことができる。
【００９８】
一方、規制部材１１６から延出されたチャイルドロックレバー１１０が、ロック位置にあるロック状態では、図１０に示すように、規制部材１１６の各当接規制部１１７，１１７が、点消火ボタン１１４ｂ，１１４ｃの下端部に、近接対向した位置にある。この状態では、規制部材１１６の当接規制部１１７，１１７と、点消火ボタン１１４ｂ，１１４ｃとの当接によって、両点消火ボタン１１４ｂ，１１４ｃは、押し込み操作が、規制位置に規制されるロック状態となる。
【００９９】
このように右側の点消火ボタン１１４ｂ，１１４ｃについては、チャイルドロックレバー１１０のスライド操作によって連動する規制部材１１６の当接規制部１１７，１１７によって、点消火ボタン１１４ｂ，１１４ｃの点火操作を機械的に阻止するチャイルドロックを行う。
【０１００】
この実施形態では、左側の点消火ボタン１１４ａについてのチャイルドロックモードの設定及びその解除をチャイルドロックレバー１１０によって行うので、上記のようにチャイルドロックレバー１１０の操作位置を検出して制御部としてのマイコンへ入力するようにしている。
【０１０１】
具体的には、チャイルドロックレバー１１０の操作位置を検出するために、図９及び図１０に示すように、規制部材１１６の後方側の端面１１６ａに、摺接可能な操作位置検出部としてのマイクロスイッチ１１９が配設されている。
【０１０２】
このマイクロスイッチ１１９は、その可動部１１９ａが、図１０に示されるように、ロック位置にある規制部材１１６の端面１１６ａによって押し込まれて接点がオンし、図９に示されるロック解除位置では、規制部材１１６による押し込みが解除されて接点がオフする。
【０１０３】
すなわち、このマイクロスイッチ１１９は、チャイルドロックレバー１１０がロック位置にあるときには、接点がオンし、ロック解除位置にあるときには、接点がオフする。
【０１０４】
図１１は、上記図７に対応する回路図であり、対応する部分には、同一の参照符号を付す。
【０１０５】
１１７，１１８，１１９は、グリル用、左コンロ用、及び、右コンロ用の器具栓スイッチである。グリル用の器具栓スイッチ１1７及び右コンロ用の器具栓スイッチ１１９は、チャイルドロックレバー１１０がロック位置にあるロック状態では、上記のように点消火ボタン１１４ｂ，１１４ｃの押し込み操作が機械的に阻止されるので、オンすることはなく、チャイルドロックレバー１１０がロック解除位置にあるロック解除状態では、点消火ボタン１１４ｂ，１１４ｃの操作に応じてそれぞれオン、オフする。
【０１０６】
この実施形態では、マイコン１３３の電源入力ラインとグランド（ＧＮＤ）との間には、抵抗Ｒ１５と上記のマイクロスイッチ１１９との直列回路が設けられ、抵抗Ｒ１５とマイクロスイッチ１１９との接続部が、マイコン１３３のロックレバー操作状態検出スイッチ（ＳＷ）入力端子に接続されている。
【０１０７】
ガスコンロ１の使用終了後、チャイルドロックレバー１１０を、ロック位置に操作してロック状態、すなわち、チャイルドロックモードを設定した場合に、左コンロ用の点消火スイッチ１１４ａが、子供などによって不用意に操作されたときの動作を説明する。
【０１０８】
子供などが、ロック状態で、左コンロ用の点消火ボタン１１４ａを不用意に押し操作して器具栓スイッチ１１８がオン状態になると、上記図７の実施形態と同様に、マイコン１３３に電源が供給されて、マイコン１３３が起動される。
【０１０９】
すなわち、器具栓スイッチ１１８がオン状態になると、電源部３２から、器具栓スイッチ１１８、ダイオードＤ２、抵抗Ｒ４、抵抗Ｒ５を介して電流が流れ、第２トランジスタＱ２のベース電位が高くなって当該第２トランジスタＱ２がオンする。
【０１１０】
第２トランジスタＱ２がオンすると、該第２トランジスタＱ２に抵抗Ｒ６を介してベースが接続されている第１トランジスタＱ１のベース電位が低下して当該第１トランジスタＱ１がオンし、これによって、電源部３２から第１トランジスタＱ１のコレクタ−エミッタを介してマイコン１３３の電源入力端子に電源が供給されて、マイコン１３３が起動される。
【０１１１】
このとき、マイコン１３３のロックレバー操作状態検出スイッチ（ＳＷ）入力端子は、マイクロスイッチ１１９がオンしているので、ローレベルとなる。これによって、マイコン１３３は、チャイルドロックレバー１１０がロック位置にあるロック状態であることを認識し、ラッチ式電磁弁ＬＢ１及びラッチ式電磁弁ＬＢ２を閉止状態に保持する。これによって、左コンロの点消火ボタン１１４ａを点火操作しても、左側のコンロバーナ１３１は、点火しない。
【０１１２】
なお、チャイルドロックレバー１１０がロック解除位置にあって、マイクロスイッチ１１９がオフしているときには、マイコン１３３のロックレバー操作状態検出スイッチ（ＳＷ）入力端子は、ハイレベルとなり、マイコン１３３は、チャイルドロックレバー１１０がロック解除位置にあるロック解除状態であることを認識し、ラッチ式電磁弁ＬＢ１及びラッチ式電磁弁ＬＢ２の閉止状態の保持を解除し、左側のコンロバーナ１３１が点火する。
【０１１３】
その他の構成は、上記実施形態と同様である。
【０１１４】
この実施形態では、左側のコンロバーナ１３１については、点消火ボタン１１４ａの点火操作を機械的に阻止するのではなく、マイコン１３３の制御によってチャイルドロックモードを実行するので、左側のコンロバーナ１３１の点消火ボタン１１４ａの押し操作を規制する規制部材等を設ける必要がなく、その分、構造が簡素化される。
【０１１５】
更に、左側のコンロバーナ１３１については、右側のコンロバーナ１３１及びグリルバーナのチャイルドロックレバー１１０によって、チャイルドロックモードの設定及びその解除を行うので、別途チャイルドロックモード設定操作部を設ける必要がない。
【０１１６】
この実施形態では、右側のコンロバーナ１３１及びグリルバーナについては、点消火ボタン１１４ｃ，１１４ｂの点火操作を機械的に阻止したが、本発明の他の実施形態として、例えば、右側のコンロバーナ１３１は、左側のコンロバーナ１３１と同様に、マイコン１３３の制御によってチャイルドロックモードを実行するようにし、グリルバーナについてのみ点消火ボタン１１４ｂの点火操作を機械的に阻止するようにしてもよい。この場合、グリルバーナの点消火ボタン１１４ｂのみのチャイルドロックレバーを設けると共に、点消火ボタン１１４ｂのみの点火操作を規制する規制部材を設ければよい。また、グリルバーナの点消火ボタン１１４ｂのチャイルドロックレバーの操作位置を検出して、左側及び右側のコンロバーナ１３１，１３１のチャイルドロックモードの実行およびその解除を行えばよい。
【０１１７】
本発明の更に他の実施形態として、グリルバーナについても、左右のコンロバーナ１３１，１３１と同様に、マイコン１３３の制御によってチャイルドロックモードを実行するようにし、機械的なチャイルドロックを無くしてもよい。この場合、チャイルドロックモードの設定及びその解除は、設定位置と解除位置とに操作可能な、例えばスライドスイッチ等を設け、マイコン１３３は、このスライドスイッチ等の接点出力によって、チャイルドロックモードが設定されているか否かを判断するようにしてもよい。
【０１１８】
［その他の実施形態］
（１）上記実施形態では、チャイルドロックスイッチ９０は、調理設定部７に設けたが、他の位置に設けてもよい。また、専用のチャイルドロックスイッチを設けることなく、他のスイッチをチャイルドロックスイッチとして兼用してもよい。例えば、図２に示されるタイマー入力部７１のプラスキー７１ａ及びマイナスキー７１ｂを、同時に一定時間に亘って操作してチャイルドロックモードの設定及びその解除を行えるようにしてもよい。
【０１１９】
（２）上記実施形態では、チャイルドロックレバー１１０の操作位置を、マイクロスイッチ１１９によって検出したが、マイクロスイッチに限らず、規制部材１１６の移動を光学的に検出する、フォトマイクロセンサ等の光学センサを用いてもよい。
【０１２０】
（３）ところで、ガスコンロには、例えば、炊飯モードにおけるご飯の炊き上がりの状態、あるいは、コンロ消し忘れ消火機能設定時間などのバーナによる加熱に関連する各種の設定内容を、工場出荷時の初期値から使用者の好みや使い勝手に応じて変更できる動作モード、いわゆる、カスタマイズモードが備えられている。
【０１２１】
かかるカスタマイズモードによって、設定内容を変更する場合には、先ず、ガスコンロを使用していない状態にし、次に、制御部に電源を供給してカスタマイズモードを開始する必要がある。
【０１２２】
上記実施形態のように電源スイッチが備えられておらず、加熱／停止操作部である点消火スイッチを点火操作して制御部に電源を供給する機種においては、カスタマイズモードを開始するためには、点消火スイッチを点火操作する必要がある。このため、バーナに点火する必要がないカスタマイズモードにおいても、通常の動作モードにおける点火操作と同様に、一旦バーナに点火され、その後、カスタマイズモードであることが制御部に認識されてバーナが消火される、あるいは、使用者自身が消火操作を行ってバーナを消火している。
【０１２３】
このように加熱／停止操作部である点消火スイッチを点火操作して制御部へ給電する機種では、カスタマイズモードを実行するためには、一旦点火して、その後消火するといった不必要な点火動作が行われ、エネルギーが無駄に消費されることになる。
【０１２４】
上記図７の実施形態では、点消火スイッチを操作することなく、チャイルドロックスイッチ９０の操作によって、マイコン３３に電源を供給できるので、このチャイルドロックスイッチ９０を、カスタマイズモードを開始するためのスイッチに兼用してもよい。例えば、チャイルドロックスイッチ９０を長押し操作すると同時に、他のスイッチを操作したときに、マイコン３３は、カスタマイズモードの設定であるとして、カスタマイズモードを開始するようにしてもよい。
【０１２５】
これによって、カスタマイズモードを開始するために、バーナに点火する必要がなく、無駄にエネルギーを消費することがない。
【０１２６】
（４）上記実施形態では、チャイルドロックモードの設定操作と、その設定を解除する操作とは、同じ操作としたけれど、異なる操作としてもよい。
【符号の説明】
【０１２７】
１，１０１        ガスコンロ
１４，１１４      点消火ボタン（加熱／停止操作部）
２９              上グリルバーナ
３１，１３１      コンロバーナ
３２              電源部
３３，１３３      マイコン（制御部）
９０              チャイルドロックスイッチ（チャイルドロックモード設定操作部）
９２              記憶素子（記憶部）
１１０            チャイルドロックレバー（チャイルドロック操作部）
１１６            規制部材（規制手段）
１１９            マイクロスイッチ（操作位置検出部）
ＬＢ１，ＬＢ２    ラッチ式電磁弁（開閉弁）
【図１】
2018194234.tif 000003
【図２】
2018194234.tif 000004
【図３】
2018194234.tif 000005
【図４】
2018194234.tif 000006
【図５】
2018194234.tif 000007
【図６】
2018194234.tif 000008
【図７】
2018194234.tif 000009
【図８】
2018194234.tif 000010
【図９】
2018194234.tif 000011
【図１０】
2018194234.tif 000012
【図１１】
2018194234.tif 000013